(57)【要約】【課題】遊技機における不正防止と、主軸の寸法精度の安定及び部品点数の削減を達成することのできるセル防止付蝶番を提供すること。【解決手段】扉高さのほぼ全長に亘って延設された湾曲部材と、少なくとも２個の蝶番ピン固定金具と、扉高さのほぼ全長に亘って延設された枠体取付部材とを備えた第１のブラケットと、前記蝶番ピン固定金具に固定された蝶番ピンと、扉高さのほぼ全長に亘って延設された第２の枠体取付部と、前記蝶番ピンを回動可能に支持するカーリング部とを備えた第２のブラケットから構成したので、遊技機の蝶番隙間から薄板を差し込む不正を防止すると共に、主軸の寸法精度の安定及び部品点数の削減を達成することができる。また、取付け、取り外しが容易であると共に、閉成状態では取り外ができず安全性に優れている。【選択図】　図１２
2004143733.tif 000002
【特許請求の範囲】
【請求項１】
扉高さのほぼ全長に亘って延設された湾曲部材と、少なくとも２個の蝶番ピン固定金具と、扉高さのほぼ全長に亘って延設された枠体取付部材とを備えた第１のブラケットと、
前記蝶番ピン固定金具に固定された蝶番ピンと、
扉高さのほぼ全長に亘って延設された第２の枠体取付部と、前記蝶番ピンを回動可能に支持するカーリング部とを備えた第２のブラケットから構成されたことを特徴とするセル防止付蝶番。
【請求項２】
前記第１のブラケットに形成された湾曲部材と同心円上に前記蝶番ピンが配設されたことを特徴とする請求項１に記載のセル防止付蝶番。
【請求項３】
前記第２のブラケットの第２の枠体取付部は、断面がほぼコ字状に形成されたことを特徴とする請求項１または２に記載のセル防止付蝶番。
【請求項４】
前記第２のブラケットのカーリング部が所定部分を除き、扉高さのほぼ全長に亘って延設されたことを特徴とする請求項１または２に記載のセル防止付蝶番。
【請求項５】
前記第２のブラケットの一部に形成された切欠き部と、前記第１のブラケットに固定された蝶番ピン固定金具が第１のブラケットと第２のブラケットの閉成時に係合して抜け止めとなることを特徴とする請求項１〜４の何れか１に記載のセル防止付蝶番。
【請求項６】
前記第１のブラケットに複数の蝶番ピン固定金具を固定すると共に、前記第２のブラケットを複数に分割しそれぞれ独立して第１のブラケットに対して開閉可能に係止したことを特徴とする請求項１〜５の何れか１に記載のセル防止付蝶番。
【発明の詳細な説明】
【０００１】
【発明の属する技術分野】
本発明は、扉、遊技機械の窓扉等の開閉に使用されるセル防止付蝶番に関するものである。
【０００２】
【従来の技術】
図１８は、従来の裏蝶番の一例を示す平面図、図１９は従来の裏蝶番の一例を示す正面図である。ここで、裏蝶番１は、第１のブラケット１と第２のブラケット２とが蝶番ピン３で回動可能に係合されている。この外部から見えない位置に取付けることができる。
【０００３】
また、図２０は、従来の連動蝶番の閉成状態を示す平面図、図２１は従来の連動蝶番の開成状態を示す平面図である。ここに示す連動蝶番は、リンク４〜９の６個の部品をそれぞれａで示す箇所でピン７を加締め加工して回動可能に構成していた。以上のように構成された、連動蝶番は本体側にリンク４を固定し、扉、ドア側にリンク９を固定して使用されている。
【０００４】
【発明が解決しようとする課題】
しかし、従来の裏蝶番では、外部から見えないが、扉枠の一部にのみ配設されているので、この隙間からセル等を挿入して不正が行われる虞が存在した。このため、イタズラ防止金具を別個に取付けなければならなかった。また、連動蝶番では、リンク機構により７本のピンをカシメて組立ていたために、そのカシメ具合が微妙に開閉動作に影響しており、７本全てのピンの加締め具合を調整するのは煩雑であった。また、ピンの長さも２種類存在したため、部品点数も多いものであった。更に、移動距離が大きい為に扉枠を開成した際に、曲げモーメントで位置が下がってしまう虞が存在した。
本発明は、前記実情に鑑み提案されたもので、部品点数の削減と、不正を確実に防止することができるセル防止付蝶番を提供することを目的とする。
【０００５】
【課題を解決するための手段】
前記目的を達成するために、請求項１に記載の発明は、扉高さのほぼ全長に亘って延設された湾曲部材と、少なくとも２個の蝶番ピン固定金具と、扉高さのほぼ全長に亘って延設された枠体取付部材とを備えた第１のブラケットと、前記蝶番ピン固定金具に固定された蝶番ピンと、扉高さのほぼ全長に亘って延設された第２の枠体取付部と、前記蝶番ピンを回動可能に支持するカーリング部とを備えた第２のブラケットから構成されたことを特徴とするものである。
【０００６】
また、請求項２に記載の発明は、前記第１のブラケットに形成された湾曲部材と同心円上に前記蝶番ピンが配設されたことを特徴とするものである。
【０００７】
また、請求項３に記載の発明において、前記第２のブラケットの第２の枠体取付部は、断面がほぼコ字状に形成されたことを特徴するものである。
【０００８】
また、請求項４に記載の発明において、前記第２のブラケットのカーリング部が所定部分を除き、扉高さのほぼ全長に亘って延設されたことを特徴とするものである。
【０００９】
また、請求項５に記載の発明において、前記第２のブラケットの一部に形成された切欠き部と、前記第１のブラケットに固定された蝶番ピン固定金具が第１のブラケットと第２のブラケットの閉成時に係合して抜け止めとなることを特徴とするものである。
【００１０】
また、請求項６に記載の発明において、前記第１のブラケットに複数の蝶番ピン固定金具を固定すると共に、前記第２のブラケットを複数に分割しそれぞれ独立して第１のブラケットに対して開閉可能に係止したことを特徴とするものである。
【００１１】
【発明の実施の形態】
以下、一実施の形態を示す図面に基づいて本発明を詳細に説明する。図１は、本発明に係るセル防止付蝶番を遊技機に取付けた状態を示す側方から見た説明図、図２は、本発明のセル防止付蝶番の取付け状態を示す説明図、図３は本発明のセル防止付蝶番の全体を示す正面図、図４は本発明のセル防止付蝶番の平面図である。ここで、セル防止付蝶番１０は、扉高さのほぼ全長に亘って延設された湾曲部材１１と、少なくとも２個の蝶番ピン固定金具１２と、扉高さのほぼ全長に亘って延設された枠体取付部材１３とを備えた第１のブラケット１４と、前記蝶番ピン固定金具１２に固定された蝶番ピン１５と、扉高さのほぼ全長に亘って延設された第２の枠体取付部１６と、前記蝶番ピンを回動可能に支持するカーリング部１７とを備えた第２のブラケット１８とから構成されている。
【００１２】
第１のブラケット１４と第２のブラケット１８とは、ほぼ同じ長さを有しており、両者は蝶番ピン１５を中心に回動可能に係合されている。図５は、本発明のセル防止付蝶番に使用される第１のブラケット１４を示す正面図、図６は第１のブラケット１４を示す平面図である。第１のブラケット１４は、湾曲部材１１と枠体取付部材１３と有しており、この湾曲部材１１は第２のブラケット１８に固着される蝶番ピン１５と同心円上に配設されている。
【００１３】
図７は、第２のブラケットを示す背面図、図８は、同セル防止付蝶番に使用される第２のブラケットを示す平面図、図９は、同セル防止付蝶番に使用される第２のブラケットを示す正面図である。第２のブラケット１８は、断面図ほぼコ字状をしており端部近傍にカーリング部１７が形成されている。カーリング部１７は、蝶番ピン１５を回動可能に支持する内径を有している。
【００１４】
また、カーリング部１７の隣には、切欠き部１９が形成されており、第１のブラケット１４に固着された蝶番ピン固定金具１２が第１のブラケット１４と第２のブラケット１８の閉成時に係合する。また、第２のブラケット１８の第２の枠体取付部１６には、扉体と固定するための複数のビス穴２０が形成されている。
【００１５】
図１０は、本発明のセル防止付蝶番１０に使用される蝶番ピン固定金具１２を示す側面図、図１１は本発明のセル防止付蝶番１０に使用される蝶番ピン固定金具１２を示す正面図である。蝶番ピン固定金具１２は、第１のブラケット１４の枠体取付部材１３に固着するための取付部１２ａと蝶番ピン１５を嵌着するための環状部１２ｂを有している。取付部１２ａには、位置合わせ用の取付穴１２ｃが形成されている。このように構成された蝶番ピン固定金具１２は、第１のブラケット１４にスッポット溶接等で固着される。
【００１６】
次に、以上のように構成された本発明に係るセル防止付蝶番１０の使用態様について説明する。先ず、図１、２に示すように本発明のセル防止付蝶番１０の第１のブラケット１４を装置本体の木枠２１にビス等で固定すると共に、第２のブラケット１８に扉２２をやはりビス等で固着する。また、図１２に示すように扉２２を閉じた状態では、枠体取付部材１３が第２のブラケット１８の切欠き部１９に係合している。したがって、第２のブラケット１８は、長手方向に移動することができず、蝶番ピン１５から外れる虞がない。このため、セル防止付蝶番１０の閉成状態では、木枠２１から扉２２が外れることがない。
【００１７】
また、図１２から明らかなようにセル防止付蝶番１０の隙間から、薄板等を挿入しようとしても、湾曲部材１１及び第２のブラケット１８が入り組んで、挿入することができない。
【００１８】
更に、図１３に示すように扉２２を開成した場合でも、湾曲部材１１及び第２のブラケット１８が入り組んでいるので、隙間からセル板等を挿入することができない。また、扉２２を開く途中においても、常に湾曲部材１１及び第２のブラケット１８が隙間をガードしているので、安全である。また、第１のブラケット１４と第２のブラケット１８は、扉高さのほぼ全長に亘って延設されているので、捻れが生じることもなく、寸法精度及び強度を増すことができる。
【００１９】
図１４は、本発明の別の実施例に係るセル防止付蝶番を遊技機に取付けた状態を示す側方から見た説明図、図１５は本発明の別の実施例に係るセル防止付蝶番を遊技機に取付けた状態を示す説明図である。この実施例において、木枠２１に対して２個の扉２４、２５を取付けた場合を示している。ここでは、図１６に示すように第１のブラケット２３には、４個の蝶番ピン固定金具２３ａ、２３ｂ、２３ｃ、２３ｄが形成されている。更に、第２のブラケットは、２６ａ、２６ｂに２分割されている。
【００２０】
以上のように構成した場合、複数の扉２４、２５を取付けることができる。また、複数の扉を取付けた場合であっても、隙間から薄板等の挿入を阻止することができる。
【００２１】
図１７は、他の実施例のセル防止付蝶番に使用される第２のブラケット２７を示す斜視図である。本実施の形態において、第２のブラケット２７は、第１のブラケットの蝶番ピン１５と係合するカーリング部２７ａ、２７ｄの他にカーリング部２７ｂ、２７ｃを有している。このカーリング部２７ｂ、２７ｃは、湾曲部材１１の内側に位置してガイドの役目を果たす。
【００２２】
以上のように構成した場合、セル防止付蝶番の開閉動作を安定させることができる。
【００２３】
尚、第２のブラケットに形成するカーリング部を所定部分を除き、扉高さのほぼ全長に亘って延設してもよい。このように構成した場合、扉高さのほぼ全長に亘って湾曲部材１１とカーリング部１７が配置されているので、セル等の挿入を完全に阻止することができる。
【００２４】
【発明の効果】
この発明は前記した構成からなるので、以下に説明するような効果を奏することができる。
【００２５】
請求項１に記載の発明では、扉高さのほぼ全長に亘って延設された湾曲部材と、少なくとも２個の蝶番ピン固定金具と、扉高さのほぼ全長に亘って延設された枠体取付部材とを備えた第１のブラケットと、前記蝶番ピン固定金具に固定された蝶番ピンと、扉高さのほぼ全長に亘って延設された第２の枠体取付部と、前記蝶番ピンを回動可能に支持するカーリング部とを備えた第２のブラケットから構成したものである。
【００２６】
このような構成としたことによって、本発明のセル防止付蝶番は別個にイタズラ防止金具を取付ける必要がなく、部品点数の削減を図ることができる。また、扉高さのほぼ全長に亘って湾曲部材が延設されたので、外部からのセル挿入を確実に阻止することができる。更に、蝶番が上下一体に構成されたので、強度が増すと共に、主軸の寸法精度を向上させることができる。
【００２７】
また、請求項２に記載の発明において、前記第１のブラケットに形成された湾曲部材と同心円上に前記蝶番ピンが配設されたので、第２のブラケットが回動しても、湾曲部材が常に扉枠と本体との隙間をガードするため、セル等を挿入する不正を防止することができる。また、第２のブラケットの回動動作の支障となることがない。
【００２８】
また、請求項３に記載の発明において、前記第２のブラケットの第２の枠体取付部は、断面がほぼコ字状に形成されたので、ドア、遊技機械の扉等に使用した場合に開閉動作の支障となることがない。
【００２９】
また、請求項４に記載の発明において、前記第２のブラケットのカーリング部が所定部分を除き、扉高さのほぼ全長に亘って延設されたので、カーリング部と湾曲部材の双方が常に扉枠と本体との隙間をガードし、より確実に不正を防止することができる。
【００３０】
また、請求項５に記載の発明において、前記第２のブラケットの一部に形成された切欠き部と、前記第１のブラケットに固定された蝶番ピン固定金具が第１のブラケットと第２のブラケットの閉成時に係合して抜け止めとなるので、遊技機等に使用した場合、扉等が取り外されるのを防止することができる。
【００３１】
また、請求項６に記載の発明において、前記第１のブラケットに複数の蝶番ピン固定金具を固定すると共に、前記第２のブラケットを複数に分割しそれぞれ独立して第１のブラケットに対して開閉可能に係止したので、複数の扉に対応することができる。
【図面の簡単な説明】
【図１】図１は、本発明に係るセル防止付蝶番を遊技機に取付けた状態を示す側方から見た説明図である。
【図２】図２は、同セル防止付蝶番の取付け状態を示す説明図である。
【図３】図３は、同セル防止付蝶番の全体を示す正面図である。
【図４】図４は、同セル防止付蝶番の平面図である。
【図５】図５は、同セル防止付蝶番に使用される第１のブラケットを示す正面図である。
【図６】図６は、同セル防止付蝶番に使用される第１のブラケットを示す平面図である。
【図７】図７は、同セル防止付蝶番に使用される第２のブラケットを示す背面図である。
【図８】図８は、同セル防止付蝶番に使用される第２のブラケットを示す平面図である。
【図９】図９は、同セル防止付蝶番に使用される第２のブラケットを示す正面図である。
【図１０】図１０は、同セル防止付蝶番に使用される蝶番ピン固定金具を示す側面図である。
【図１１】図１１は、同セル防止付蝶番に使用される蝶番ピン固定金具を示す正面図である。
【図１２】図１２は、同セル防止付蝶番の閉成状態を示す平面図である。
【図１３】図１３は、同セル防止付蝶番の開成状態を示す平面図である。
【図１４】図１４は、本発明の別の実施例に係るセル防止付蝶番を遊技機に取付けた状態を示す側方から見た説明図である。
【図１５】図１５は、本発明の別の実施例に係るセル防止付蝶番を遊技機に取付けた状態を示す説明図である。
【図１６】図１６は、同セル防止付蝶番に使用される第１のブラケットを示す斜視図である。
【図１７】図１７は、他の実施例のセル防止付蝶番に使用される第２のブラケットを示す斜視図である。
【図１８】図１８は、従来の裏蝶番の一例を示す平面図である。
【図１９】図１９は、従来の裏蝶番の一例を示す正面図である。
【図２０】図２０は、従来の連動蝶番の閉成状態を示す平面図である。
【図２１】図２１は、従来の連動蝶番の開成状態を示す平面図である。
【符号の説明】
１０　　　セル防止付蝶番
１１　　　湾曲部材
１２　　　蝶番ピン固定金具
１３　　　枠体取付部材
１４　　　第１のブラケット
１５　　　蝶番ピン
１６　　　第２の枠体取付部
１７　　　カーリング部
１８　　　第２のブラケット
１９　　　切欠き部
２０　　　ビス穴
２１　　　木枠
２２　　　扉
２３　　　第１のブラケット
２４　　　扉
２５　　　扉
２６　　　第２のブラケット
２７　　　第２のブラケット
【図１】
2004143733.tif 000003
【図２】
2004143733.tif 000004
【図３】
2004143733.tif 000005
【図４】
2004143733.tif 000006
【図５】
2004143733.tif 000007
【図６】
2004143733.tif 000008
【図７】
2004143733.tif 000009
【図８】
2004143733.tif 000010
【図９】
2004143733.tif 000011
【図１０】
2004143733.tif 000012
【図１１】
2004143733.tif 000013
【図１２】
2004143733.tif 000014
【図１３】
2004143733.tif 000015
【図１４】
2004143733.tif 000016
【図１５】
2004143733.tif 000017
【図１６】
2004143733.tif 000018
【図１７】
2004143733.tif 000019
【図１８】
2004143733.tif 000020
【図１９】
2004143733.tif 000021
【図２０】
2004143733.tif 000022
【図２１】
2004143733.tif 000023